(57)【要約】【課題】簡単な構造で且つ容易に可変入賞手段への遊技球の過剰入賞を抑制する弾球遊技機を提供すること。【解決手段】入賞口２３への遊技球Ｐの規定数超えた入球が確認された後、開閉扉４８により大入賞口２３が開状態から閉状態へ切換えられ、 開閉扉４８が略直立した状態になると、排出口６７よりも下側の領域において排出口６７の前端と開閉扉４８の板部５１の内面との間に遊技球Ｐの落下を許容する遊技球落下隙間７０が形成される。【選択図】図１０
2008188136.tif 000002
【特許請求の範囲】
【請求項１】
図柄始動手段と、この図柄始動手段への遊技球の入球を条件に１又は複数の特別図柄を変動表示する図柄表示手段と、この図柄表示手段に表示される変動後の特別図柄が特定態様になった場合に、遊技者に利益状態を付与するために所定の動作態様にて開閉される可変入賞手段とを備えた弾球遊技機において、
前記可変入賞手段は、入賞口と、この入賞口を開閉する開閉扉と、この開閉扉を開閉させる開閉手段と、前記開閉扉が開いた状態において、前記入賞口へ入球した遊技球を遊技盤面と略直交する方向に通過させ遊技盤面の裏側に排出する排出口と、この排出口から排出される遊技球を検出する検出スイッチとを有し、
前記開閉扉が閉じた状態では、前記排出口と開閉扉の内側との間であって前記排出口よりも下側の領域に遊技球の落下を許容する遊技球落下隙間が形成されたことを特徴とする弾球遊技機。
【請求項２】
前記開閉扉の左右両端部の上下方向の所定部分に、開閉扉の左右両端外へ張り出す水平な枢支軸が設けられ、この枢支軸は遊技盤の前面近傍部に回動自在に枢支されたことを特徴とする請求項１に記載の弾球遊技機。
【請求項３】
前記開閉扉が開いた状態では開閉扉の内面が後方下がり傾斜状になり、その開閉扉の下部の内面と、これに対向する遊技盤側部材とで遊技球が転動する案内路が形成されることを特徴とする請求項１又は２に記載の弾球遊技機。
【請求項４】
前記開閉扉の左右両端部には、内面側へ突出する側板部が一体形成されたことを特徴とする請求項１〜３の何れかに記載の弾球遊技機。
【請求項５】
図柄始動手段と、この図柄始動手段への遊技球の入球を条件に１又は複数の特別図柄を変動表示する図柄表示手段と、この図柄表示手段に表示される変動後の特別図柄が特定態様になった場合に、遊技者に利益状態を付与するために所定の動作態様にて開閉される可変入賞手段とを備えた弾球遊技機において、
前記可変入賞手段は、入賞口と、この入賞口を左右方向に開閉する１対の開閉扉と、これら開閉扉を開閉させる開閉手段と、前記開閉扉が開いた状態において、前記入賞口へ入球した遊技球を遊技盤面と略直交する方向に通過させ遊技盤面の裏側に排出する排出口と、この排出口から排出される遊技球を検出する検出スイッチとを有し、
前記開閉扉が閉じた状態では、１対の開閉扉の間であって前記排出口よりも下側の領域に遊技球の落下を許容する遊技球落下隙間が形成されたことを特徴とする弾球遊技機。
【請求項６】
前記１対の開閉扉は遊技盤の前面外に配設され、
前記１対の開閉扉の上下方向の所定部分に遊技盤の盤面に垂直な１対の枢支軸が設けられ、前記１対の開閉扉はこれら枢支軸を介して遊技盤に回動自在に枢支されたことを特徴とする請求項５に記載の弾球遊技機。
【発明の詳細な説明】
【技術分野】
【０００１】
本発明は、弾球遊技機に関し、特に、可変入賞手段への遊技球の過剰入賞を抑制するため、可変入賞手段の構造を改良した弾球遊技機に関するものである。
【０００２】
従来、弾球遊技機には、遊技盤に図柄始動口と、アタッカーと呼ばれる開閉式の大入賞口と、複数の特別図柄を変動表示可能な図柄表示器とが設けられ、図柄始動口に遊技球が入球すると、図柄表示器の複数の特別図柄が所定変動時間だけ変動し、変動後の停止図柄が特定態様（例えば、「７７７」等の図柄態様）になった場合に大当り状態となり、通常は閉じている大入賞口が開口して、遊技者に有利な利益状態が発生する。この利益状態が発生すると、所定の入賞条件に基づいて、例えば、大入賞口は最大で設定回数（例えば、１５ラウンド）まで開閉動作を繰返し、大入賞口の各開放は、その大入賞口に所定数（例えば、１０個）の遊技球入球するか、その開放時から所定時間（例えば、３０秒間）経過するまで維持される。
【０００３】
ところで、大入賞口への遊技球の規定数の入球が検出スイッチにより検出された後、大入賞口が開閉扉により開状態から閉状態へ切換えられる際、規定入球数を超えて大入賞口へ入球した遊技球や開閉扉の内面に載っていた遊技球がある場合、大入賞口内へ誘導され検出スイッチにより入賞球として検知される。この場合、規定された賞球数よりも多くの賞球が払い出されることになる。
【０００４】
特許文献１には、大入賞口へ遊技球が規定数を超えて入球した場合、その規定数を超えて入球した遊技球を大入賞口の外部に排出する排出手段を設けた弾球遊技機について開示されている。この排出手段としての振分ゲートは、大入賞口の内部に形成された排出通路途中部において遊技盤に回動可能に枢着され、検出手段により規定数を超えて入球した遊技球が検出された場合、振分ゲートにより、その遊技球が上皿や下皿へ誘導される。
【特許文献１】特開２００５−１１８４９０号公報
【発明の開示】
【発明が解決しようとする課題】
【０００５】
しかし、特許文献１の弾球遊技機では、遊技球を大入賞口の外部に排出するために、大入賞口の内部に振分ゲートとこの振分ゲートを回動させるアクチュエータとを設けた構造が採用されているので、可変入賞手段の部品点数や組立て時の組立て工数が増加し、製作コスト的に非常に不利である。また、大入賞口の近傍部に振分ゲートやアクチュエータを設けるためのスペースを確保する必要がある。
【０００６】
さらに、検出手段により、大入賞口への遊技球の規定数を超えた入球が検出される毎に、制御装置からの駆動信号に基づいてアクチュエータと、振分ゲートとを作動させる必要があるので、排出処理の構成が煩雑である。
本発明の目的は、簡単な構造で且つ容易に可変入賞手段への遊技球の過剰入賞を抑制する弾球遊技機を提供することである。
【課題を解決するための手段】
【０００７】
請求項１の弾球遊技機は、図柄始動手段と、この図柄始動手段への遊技球の入球を条件に１又は複数の特別図柄を変動表示する図柄表示手段と、この図柄表示手段に表示される変動後の特別図柄が特定態様になった場合に、遊技者に利益状態を付与するために所定の動作態様にて開閉される可変入賞手段とを備えた弾球遊技機において、可変入賞手段は、入賞口と、この入賞口を開閉する開閉扉と、この開閉扉を開閉させる開閉手段と、開閉扉が開いた状態において、入賞口へ入球した遊技球を遊技盤面と略直交する方向に通過させ遊技盤面の裏側に排出する排出口と、この排出口から排出される遊技球を検出する検出スイッチとを有し、開閉扉が閉じた状態では、排出口と開閉扉の内側との間であって排出口よりも下側の領域に遊技球の落下を許容する遊技球落下隙間が形成されたものである。
【０００８】
この弾球遊技機では、図柄始動手段に遊技球が入球すると、図柄表示手段に１又は複数の特別図柄が変動表示され、変動後の特別図柄が特定態様になった場合に、開閉手段により開閉扉が開閉されて入賞口が開口される。開閉扉が開いた状態において、その入賞口へ入球した遊技球が排出口を通過して検出スイッチにより入賞球として検出される。
【０００９】
開閉扉が閉じた状態では、排出口よりも下側の領域において排出口と開閉扉の内側との間に遊技球落下隙間が形成され、遊技球がその遊技球落下隙間へ落下する。そのため、例えば、開閉扉が開状態から閉状態へ切換えられる際、遊技球が規定数を超えて入球した場合、その遊技球が開閉扉を流下して遊技球落下隙間へ落下するため、遊技球が排出口を通過することがない。
【００１０】
請求項２の弾球遊技機は、請求項１の発明において、開閉扉の左右両端部の中段部の上下方向の所定部分に、開閉扉の左右両端外へ張り出す水平な枢支軸が設けられ、この枢支軸は遊技盤の前面近傍部に回動自在に枢支されたことを特徴としている。
【００１１】
請求項３の弾球遊技機は、請求項１又は２の発明において、開閉扉が開いた状態では開閉扉の内面が後方下がり傾斜状になり、その開閉扉の下部の内面と、これに対向する遊技盤側部材とで遊技球が転動する案内路が形成されることを特徴としている。
請求項４の弾球遊技機は、請求項１〜３の発明の何れかにおいて、開閉扉の左右両端部には、内面側へ突出する側板部が一体形成されたことを特徴としている。
【００１２】
請求項５の弾球遊技機は、図柄始動手段と、この図柄始動手段への遊技球の入球を条件に１又は複数の特別図柄を変動表示する図柄表示手段と、この図柄表示手段に表示される変動後の特別図柄が特定態様になった場合に、遊技者に利益状態を付与するために所定の動作態様にて開閉される可変入賞手段とを備えた弾球遊技機において、可変入賞手段は、入賞口と、この入賞口を左右方向に開閉する１対の開閉扉と、これら開閉扉を開閉させる開閉手段と、開閉扉が開いた状態において、入賞口へ入球した遊技球を遊技盤面と略直交する方向に通過させ遊技盤面の裏側に排出する排出口と、この排出口から排出される遊技球を検出する検出スイッチとを有し、開閉扉が閉じた状態では、１対の開閉扉の間であって排出口よりも下側の領域に遊技球の落下を許容する遊技球落下隙間が形成されたものである。この弾球遊技機においては、請求項１と同様の作用を奏する。
【００１３】
請求項６の弾球遊技機は、請求項５の発明において、１対の開閉扉は遊技盤の前面外に配設され、１対の開閉扉の上下方向の所定部分に遊技盤面の盤面に垂直な１対の枢支軸が設けられ、１対の開閉扉はこれら枢支軸を介して遊技盤に回動自在に枢支されたことを特徴としている。
【発明の効果】
【００１４】
本願の弾球遊技機によれば、可変入賞手段は、入賞口と、開閉扉と、開閉手段と、排出口と、検出スイッチとを有し、開閉扉が閉じた状態では、排出口と開閉扉の内側との間であって排出口よりも下側の領域に遊技球の落下を許容する遊技球落下隙間が形成されるので、簡単な構造で且つ容易に規定数を超えて入球した遊技球を可変入賞装置の外部へ排出することができる。
【発明を実施するための最良の形態】
【００１５】
本実施例は、図柄始動手段と、この図柄始動手段への遊技球の入球を条件に１又は複数の特別図柄を変動表示する図柄表示手段と、この図柄表示手段に表示される変動後の特別図柄が特定態様になった場合に、遊技者に利益状態を付与するために所定の動作態様にて開閉される可変入賞手段とを備えた弾球遊技機に、本発明を適用した場合の一例である。
【実施例１】
【００１６】
以下、本発明の実施例１を図面に基づいて説明する。
図１〜図３に示すように、カード式弾球遊技機であるパチンコ機１は、矩形枠状の外枠３と、この外枠３に開閉自在に枢着された前枠４とを有し、カード式球貸し機２をサンドイッチ状に挟持する状態で、外枠３が島構造体（図示略）に着脱自在に装着されている。前枠４には、遊技盤５が裏側から着脱自在に装着され、遊技盤５の前側に対応させて、窓部６ａを有するガラス扉６と発射用の遊技球を貯留する上皿８の前面板７とが夫々開閉自在に枢着されている。前面板７の下部には、上皿８から溢流し又は抜き取った遊技球を貯留する下皿９と、発射ハンドル１０とが設けられている。
【００１７】
球受け皿８の右部には、カード式球貸し機２に対する球貸し操作用の操作パネル１３が設けられ、この操作パネル１３には、カード残額を３桁の数字で表示するカード残額表示部１３ａと、所定金額分の遊技球の球貸しを指示する球貸しスイッチ１３ｂと、遊技終了時にカードの返却を指令する返却スイッチ１３ｃとが設けられている。
【００１８】
図４に示すように、遊技盤５にはほぼ環状のガイドレール１４が設けられ、そのガイドレール１４の内側に遊技領域５ａが形成され、発射ハンドル１０を回動操作して発射された遊技球は、このガイドレール１４により遊技領域５ａに導入される。
【００１９】
遊技領域５ａには、多数の障害釘（図示略）と、風車１１と、センターケース２５と、そのセンターケース２５に一体的に設けられた液晶ディスプレイ（ＬＣＤ）２５ａと、可動役物１２と、特別図柄表示部（図柄表示手段）２８と、普通図柄ランプ表示部２９と、特別図柄表示部２８の特別図柄表示領域２８ａ〜２８ｃ内に配設された複数の特別図柄変動保留ランプ（図示略）と、複数（４つ）の普通図柄変動保留ランプ２７と、複数の普通入賞口２０と、第１始動口２１ａと第２始動口２１ｂとを備えた特別図柄始動口２１（図柄始動手段）と、第２始動口２１ｂを大小変化させるように開閉する始動口開閉部材２１ｃと、ゲート式の普通図柄始動口２２と、可変入賞装置１５と、可変入賞装置１５の大入賞口２３を開閉する開閉扉４８と、入賞しなかった遊技球をアウト球として回収する球排出口２４等が設けられている。
【００２０】
遊技領域５ａに発射された遊技球は、風車１１や多数の障害釘に当たって方向を換えながら落下していき、普通入賞口２０、特別図柄始動口２１の第１、第２始動口２１ａ、２１ｂ、普通図柄始動口２２、大入賞口２３の何れかに入賞するか、最下端まで落下して球排出口２４から排出される。普通入賞口２０、特別図柄始動口２１、大入賞口２３の何れかに遊技球が入球した場合には、その入賞口２０、２３に応じて予め定めた数の遊技球が上皿８又は下皿９に払い出される。
【００２１】
特別図柄始動口２１に入球した遊技球を検出した場合には、特別図柄表示部２８において、複数（３つ）の特別図柄表示領域２８ａ〜２８ｃに複数の特別図柄が７セグメント表示装置により変動表示され、その表示装置の変動停止時の表示結果が特定図柄態様（「４４４」、「７７７」等）になった場合、開閉扉４８により大入賞口２３が開閉されて、遊技者に有利な利益状態が発生する。ここで、特別図柄の変動中に特別図柄始動口２１の第１、第２始動口２１ａ、２１ｂに遊技球が入球した場合には、その入球数が最大４個まで保留球として記憶され、その保留球に相当する数の特別図柄変動保留ランプが点灯される。そして、その保留数に相当する回数の特別図柄の変動表示が連続的に行われる。
【００２２】
利益状態が発生すると、所定の入賞条件に基づいて、例えば、大入賞口２３は最大で１５ラウンド開閉動作を繰返し、大入賞口２３の各開放は、その大入賞口２３に遊技球が１０個入球するか、その開放時から３０秒経過するまで維持される。
【００２３】
また、普通図柄始動口２２に入球した遊技球を検出した場合には、普通図柄ランプ表示部２９の普通図柄当りランプ表示領域２９ａと普通図柄外れランプ表示領域２９ｂとの何れかにおいて、抽選手段による普通図柄の当り／外れの抽選結果がランプ表示され、当りランプ表示領域２９ａのランプが点灯表示された場合、始動口開閉部材２１ａにより、特別図柄始動口２１が所定回数開閉される。
【００２４】
ここで、当り／外れランプ表示領域２９ａ、２９ｂの何れかのランプの点灯表示中に普通図柄始動口２２に遊技球が入球した場合には、その入球数が最大で４個まで保留数として記憶され、普通図柄ランプ表示部２９の表示領域２９ａ、２９ｂでの当り／外れのランプ表示の実行回数が普通図柄変動保留ランプ２７に点灯される。そして、その保留数に相当する回数の普通図柄の当り／外れの抽選が行われ、その抽選結果が連続的に普通図柄ランプ表示部２９の当り／外れランプ表示領域２９ａ、２９ｂにて点灯表示される。
【００２５】
次に、図２、図３に示すように、前枠４の裏側に裏機構板３０が着脱自在に装着され、その上部側に、外部から遊技球が供給される賞球タンク３１と、賞球タンク３１から延びるタンクレール３２が設けられている。タンクレール３２に通路ユニット３３が接続され、通路ユニット３３の上流側部分に、上皿８又は下皿９に遊技球を払出す払出しモータを有する払出し機構３４が設けられている。裏機構板３０の下側右部に、遊技球を発射する発射モーター３５ａを有する発射機構３５が設けられている。
【００２６】
前枠４の裏側には、パチンコ機１を制御する各種制御手段（主制御手段、払出し制御手段、演出制御手段、液晶制御手段、電源手段）が装備された基板として、主制御基板４０、払出制御基板４１、演出制御基板４２、液晶制御基板４３、電源基板４４が夫々所定位置に配設されている。これら制御基板４０〜４４は別体に構成されて電気的に接続され、少なくとも主制御基板４０と払出制御基板４１と演出制御基板４２と液晶制御基板４３には、ＣＰＵとＲＯＭとＲＡＭからなるマイクロコンピュータと入出力インターフェースが夫々設けられている。
【００２７】
次に、本願特有の構成を有する可変入賞装置１５について説明する。
図５〜図７に示すように、可変入賞装置１５は、遊技盤の前面に取付られた表機構１６と、この表機構１６に組み付けられる裏機構１７とから構成されている。
図５、図６に示すように、表機構１６は、横長形状の装飾板４５を備え、装飾板４５の中央上部寄りには、横長矩形状の開口部４７が前後方向に貫通形成されている。その開口部４７を開閉するように開閉扉４８が装飾板４５に枢着されている。開口部４７よりも下側には、裏機構１７に連通し過剰入賞球を排出する排出口５０が形成されている。
【００２８】
図６〜図８に示すように、開閉扉４８は、横長形状の板部５１と、その板部５１の左右両端部から立設され板部５１の内面側へ突出する１対の対向する側板部５２ａ、５２ｂとが一体形成されている。
板部５１の内面は、開閉扉４８が開いた状態において、その内面が後方下がり傾斜状の傾斜角度（水平面に対して３０〜４０度）を有し、左半部の後端は、遊技球Ｐを裏機構１７に形成された排出口６７側（右側）へ誘導するために湾曲状に形成されている。右半部は、開閉扉４８が開いた状態において、その後端部が、裏機構１７の案内部材６４よりも下側の壁面に当接するよう形成されている。図９、図１０に示すように、板部５１の外面の下端部には、前方へ突設された係合板部５４が一体形成され、この係合板部５４の下端部が開口部４７の底壁面に形成された係合溝５５に係合する。
【００２９】
図６〜図８に示すように、１対の側板部５２ａ、５２ｂの上下方向中段部には、夫々、左右方向向きの水平な枢支軸５６が一体形成され、これら１対の枢支軸５６が、側板部５２a 、５２ｂの外側左方もしくは右方へ張り出すように設けられている。なお、これら１対の枢支軸５６を上下方向中段部の他に、開閉扉４８が開いた状態において、枢支軸５６より下側の開閉扉４８の板部５１の内面で遊技球Ｐを１個以上保持できる側板部５２ａ、５２ｂの上下方向の所定部位に設けてもよい。
１対の枢支軸５６は、装飾板４５の中段部に形成された枢支軸挿入孔４９に挿入されて、遊技盤５の前面近傍部に回動自在に枢支される。左側側板部５２ｂの後端部には、板部５１の内面側へ突出する連結ピン５７が一体形成されている。
ここで、表機構１６に裏機構１７を組み付ける際、開閉扉４８の左右両端部が左右１対の枢支軸５６を介して装飾板４５の枢支軸挿入孔４９に取り付けられることにより、その装飾板４５が遊技盤５の前面に取り付けられ、その装飾板４５の後面に裏機構１７がビス（図示略）を介して組み付けられる。  
【００３０】
図７、図８に示すように、裏機構１７は、ケース１８と、検出スイッチ６５と、開閉扉ソレノイド５８とを備えている。
ケース１８は、ケース本体１８ａと、ケース本体１８ａの背面に組み付けられた分割ケース体１８ｂとから構成されている。ケース本体１８ａは、上壁部６０と、後壁部６１と、左右１対の側壁部６２ａ、６２ｂと、底壁部６３とを備え、これらが一体成形されている。
後壁部６１の前面の上半部には、排出口６７と、この排出口６７に隣接し遊技球Ｐを排出口６７へ案内する案内部材（遊技盤側部材）６４とが設けられている。排出口６７は、表機構１６の開口部４７の右端部に対応する位置に設けられ、裏機構１７の前後方向（遊技盤面と直交する方向）において、遊技球Ｐが１個のみ通過可能な大きさに貫通形成されている。
【００３１】
案内部材６４は、正面視にて左端部から右端部へ移行する程後方へ移行するように傾斜状に形成されている。開閉扉４８が開いた状態では、開閉扉４８の板部５１の右半部の後端部が、その後端部に対向する案内部材６４よりも下側の壁面に当接し、板部５１の右半部の後端部と案内部材６４とにより遊技球Ｐを排出口６７へ案内する案内路６６が形成される。
【００３２】
図７に示すように、底壁部６３は、その右半部の内面が左方ほど低くなる左方下り傾斜状に形成されている。左半部の右側には、右半部の内面の左端から段下がりした排出路６９が形成されている。この排出路６９は表機構１６の排出口５０に連通し、前方に向かって下り傾斜状に形成されている。
ここで、図１０に示すように、開閉扉４８が閉じられたときに、装飾板４５の下半部の背面と、案内部材６４よりも下側の壁面と、右側側壁部６２ａの上下方向下段部の内面と、底壁部６３の内面とで囲まれた空間に遊技球Ｐを排出路６９へ誘導する遊技球排出路６８が形成される。
【００３３】
図８に示すように、分割ケース体１８ｂには、検出スイッチ６５と、開閉扉４８をＬ形部材７１を介して開閉駆動する開閉扉ソレノイド５８が配設されている。
検出スイッチ６５は、分割ケース体１８ｂの後壁部４６の右端部前面の近傍部に遊技球Ｐをスムーズに誘導できるように傾斜状に配設され、排出口６７から排出される遊技球Ｐを検出する近接スイッチある。この検出スイッチ６５には検出路６５ａが設けられ、この検出路６５ａは、遊技球Ｐが１個のみ通過可能な円形通路で構成され、排出口６７の後方近傍に連通している。
【００３４】
開閉扉ソレノイド５８は、ソレノイド本体５８ａと、前後方向に進退可能なプランジャ５８ｂとを有する。
図９、図１０に示すように、ソレノイド本体５８ａは、プランジャ５８ｂと連結している。プランジャ５８ｂの先端部５８ｃは、側面視にて逆Ｕ字状に形成され、この先端部５８ｃにＬ形部材７１が連結されている。  
Ｌ形部材７１には、その後端部に連結ピン７１ａが枢支ピン７１ｂを介して前後方向へ回動自在に枢支されている。この連結ピン７１ａは、プランジャ５８ｂの先端部５８ｃに係合している。Ｌ形部材７１の先端部７１ｃは、側面視にてコ字状に形成され、その先端部７１ｃに左側側板部５２ｂの連結ピン５７が係合している。
【００３５】
図９に示すように、大入賞口２３が開口される場合、制御手段から開閉扉ソレノイド５８へ駆動信号が供給されソレノイド本体５８ａがオン状態になり、プランジャ５８ｂが前方へ伸長した状態から後方へ退縮すると、Ｌ形部材７１において連結ピン７１ａが後方側へ回動するとともに先端部７１ｃが斜め上方へ傾斜し、左側側板部５２ｂの連結ピン５７を介して開閉扉４８が前方へ倒され、その板部５１の内面が後方下がり傾斜状になり開口部４７が開かれる。この状態で、開閉扉４８の両側の側板部５２ａ、５２ｂと板部５１の内面と開口部４７とに囲まれた空間に大入賞口２３が開口形成される。
【００３６】
図１０に示すように、大入賞口２３が閉口される場合、制御手段から開閉扉ソレノイド５８へ駆動信号が供給されてソレノイド本体５８ａがオフ状態になり、プランジャ５８ｂが前方へ伸長すると、Ｌ形部材７１において連結ピン７１ａが後方傾斜状態から直立状態まで回動するとともに先端部７１ｃが斜め下方へ傾斜し、左側側板部５２ｂの連結ピン５７を介して開閉扉４８が後方へ引き込まれて略直立状態とされ開口部４７が閉じられることにより、大入賞口２３が閉口される。
【００３７】
開閉扉４８が略直立した状態では、排出口６７の前端よりも下側の領域に遊技球Ｐの落下を許容する大きさを有する遊技球落下隙間７０が形成される。この遊技球落下隙間７０は枢支軸５６を側板部５２ａ、５２ｂの上下方向中段部に設けたことにより、開閉扉４８が略直立したときに、開閉扉４８の板部５１の内面と排出口６７の前端との間に遊技球の直径以上の大きさで形成される空間である。遊技球落下隙間７０よりも下側には、遊技球排出流路６８が連通している。開閉扉４８が閉じられると、側板部５１の内面に載っていた遊技球Ｐが遊技球落下隙間７０へ落下して、遊技球排出路６８を経由して排出路６９へ転動する。
【００３８】
次に、実施例１のパチンコ機の効果について説明する。
遊技球Ｐの特別図柄始動口２１への入賞時点で抽選された結果が大当りの場合、その変動後の停止図柄が「７７７」等の大当り図柄態様となり、開閉扉４８により大入賞口２３が開口される。開閉扉４８が開いた状態では開閉扉４８の内面が後方下がり傾斜状になり、その開閉扉４８の後端部が案内部材６４の下側の壁面に当接して遊技球Ｐを排出口６７へ案内する案内路６６が形成される。そのため、大入賞口２３へ入球した遊技球Ｐを排出口６７と検出路６５ａへスムーズに誘導させることができる。
【００３９】
検出スイッチ６５により排出口６９への遊技球Ｐの規定数の通過が確認された後、開閉扉４８により大入賞口２３が閉口される。そして、その開閉扉４８が略直立した状態になると、開閉扉４８の板部５１の内面と排出口６７の前端との間であって排出口６７の前端よりも下側の領域に遊技球Ｐの落下を許容する遊技球落下隙間７０が形成される。
【００４０】
そのため、開閉扉４８の内面に載っていた複数の遊技球Ｐ（例えば、２〜３個）が、開閉扉４８の内面から滑り落ちて遊技球落下隙間７０へ落下し、遊技球排出流路６８及び排出路６９を経て遊技領域５ａへ排出される。これにより、規定数を超えて入球した遊技球Ｐが排出口６７を通過することがないため、検出スイッチ６７にてその遊技球Ｐが入賞球として検出されることがなく、遊技球Ｐの過剰入賞を抑制することができる。また、簡単な構造で且つ容易に規定数を超えて入球した遊技球Ｐを可変入賞装置１５から遊技領域５ａへ排出させることができる。また、実施例の可変入賞装置１５は、部品点数や組立て工数を増加させることがなく、製作コスト的にも非常に有利である。
【００４１】
ここで、実施例１を部分的に変更した変更例について説明する。
１〕実施例１では、開閉扉４８と１対の枢支軸５６とを一体成形したが、開閉扉４８と１対の枢支軸５６とを夫々別体の部材として成形してもよい。
【００４２】
２〕実施例１では、開閉扉４８の左右両端部の上下方向中段部に、１対の枢支軸５６を開閉扉４８の左右両端外へ夫々張り出すように形成したが、開閉扉４８の上下方向の所定部位（例えば、中段部所）の左右方向に亙って挿通孔を貫通形成し、その挿通孔に１本の枢支軸を挿通させた状態で設けてもよい。
３〕開閉扉４９の内面の形状は、遊技球Ｐを裏機構１７の排出口６７側へ誘導するための形状であれば、実施例１以外の形状でもよい。
【実施例２】
【００４３】
次に、実施例２に係るパチンコ機について図１１、図１２に基づいて説明する。実施例２は、実施例１のパチンコ機１の可変入賞装置１５とは異なる構造の可変入賞装置１５Ａを適用した場合の一例である。尚、このパチンコ機のうち、前記実施例１のパチンコ機１と同様の部材に同一の符号を付して説明を省略する。  
【００４４】
図１１、図１２に示すように、可変入賞装置１５Ａは、装飾板７８と、遊技球振分け板部７８ａと、入賞口７３と、この入賞口７３を左右方向に開閉する１対の開閉扉７４と、これら開閉扉７４を開閉させる開閉扉ソレノイド（図示略）と、遊技球Ｐを遊技盤面と略直交する方向に通過させ遊技盤面の裏側に排出する排出口８０と、この排出口８０から排出される遊技球Ｐを検出する検出スイッチ（図示略）とを有する。
【００４５】
１対の開閉扉７４は、遊技盤５の前面外に配設され左右対称の形状を有する羽根部材であり、その下端部の先端部が内側へ折り曲げられた屈曲部７９を有する。１対の開閉扉７４の上下方向中段部には、遊技盤５の盤面に垂直な枢支軸７５が夫々設けられている。これら１対の枢支軸７５が、遊技盤の前面と装飾板７８の後面との間に回動自在に枢支されている。
【００４６】
図１１に示すように、１対の開閉扉７４が開いた状態では、開閉扉７４の内面が下方下がり傾斜状になり、それら開閉扉７４の屈曲部７９の先端同士が近接して、遊技球Ｐを排出口８０へ案内する案内路７６が形成される。そのため、入賞口７３から入球した遊技球Ｐを排出口８０へスムーズに誘導させることができる。
【００４７】
図１２に示すように、１対の開閉扉７４が閉じた状態、つまり、開閉扉４８が直立した状態では、排出口８０よりも下側の領域において、１対の開閉扉４８の内面との間に遊技球１個分以上の落下を許容する遊技球落下隙間７７が形成される。この遊技球落下隙間７７は、遊技球Ｐを入賞装置１５Ａの外部へ排出する排出路（図示略）に連通している。
【００４８】
以上説明した実施例２の可変入賞装置１５Ａの作用効果について説明する。
検出スイッチにより入賞口７３への遊技球Ｐの規定数の入球が確認された後、１対の開閉扉７４により入賞口７３が開状態から閉状態へ切換えられる。そして、これら開閉扉７４が直立した状態では、１対の開閉扉７４の内面の間に遊技球１個分以上の落下を許容する遊技球落下隙間７７が形成される。
【００４９】
そのため、入賞口７３が開閉扉７４により閉口される際、開閉扉７４の内面に載っていた複数の遊技球Ｐ（例えば、２〜３個）が、開閉扉７４の内面から滑り落ちて遊技球落下隙間７７へ落下して入賞装置１５Ａの外部へ排出される。その結果、入賞口７３へ規定数を超えて入球した遊技球Ｐが排出口８０を通過することがなく、遊技球Ｐの過剰入賞を抑制することができる。また、簡単な構造で且つ容易に規定数を超えて入球した遊技球Ｐを可変入賞装置１５Ａの外部へ排出することができる。
【実施例３】
【００５０】
次に、実施例３に係るパチンコ機について図１３、図１４に基づいて説明する。実施例３は、実施例１、２のパチンコ機の可変入賞装置１５、１５Ａとは異なる構造の可変入賞装置１５Ｂを適用した場合の一例である。尚、このパチンコ機のうち、前記実施例１、２のパチンコ機と同様の部材に同一の符号を付して説明を省略する。
【００５１】
図１３、図１４に示すように、可変入賞装置１５Ｂは、装飾板８１と、遊技球振分板部８８と  入賞口８２と、この入賞口８２を左右方向に開閉する１対の開閉扉８４と、これら開閉扉８４を開閉させる開閉扉ソレノイド（図示略）と、遊技盤側部材８３に設けられ遊技球Ｐを遊技盤面と略直交する方向に通過させ遊技盤面の裏側に排出する排出口８３ａと、この排出口８３ａから排出される遊技球Ｐを検出する検出スイッチ（図示略）とを有する。
【００５２】
１対の開閉扉８４は、遊技盤５の前面外に配設され左右対称の形状を有する羽根部材である。これら開閉扉８４の上下方向中段部には、遊技盤５の盤面に垂直な枢支軸８５が一体成形されている。これら１対の枢支軸８５が、遊技盤５の前面と装飾板７８の後面との間に回動自在に枢支されている。
【００５３】
図１３に示すように、１対の開閉扉８４が開いた状態では、開閉扉８４の内面が下方下がり傾斜状になり、それら開閉扉８４の下端部に、その下端部に対向する遊技盤側部材８３が当接して、遊技球Ｐを排出口８３ａへ案内する案内路９０が形成される。そのため、入賞口８２から入球した遊技球Ｐを排出口８３ａへスムーズに誘導させることができる。
【００５４】
図１４に示すように、１対の開閉扉８４が、開状態から閉状態、つまり、開閉扉８４が直立した状態では、排出口８３ａよりも下側の領域において、１対の開閉扉８４の内面と、これに対向する遊技盤側部材８３との間に遊技球１個分以上の落下を許容する遊技球落下隙間８７が形成される。この遊技球落下隙間８７は、遊技球Ｐを入賞装置１５Ｂの外部へ排出する排出路に連通している。
【００５５】
以上説明した実施例３の作用、効果について説明する。
入賞口８２が開閉扉８４により閉口される際、開閉扉８４の内面に載っていた複数の遊技球Ｐ（例えば、２〜３個）が、開閉扉８４の内面から滑り落ちて遊技球落下隙間８７へ落下する。そのため、入賞口８２へ規定数を超えて入球した遊技球Ｐが排出口８３ａを通過することがなく、遊技球Ｐの過剰入賞を抑制することができる。また、簡単な構造で且つ容易に規定数を超えて入球した遊技球Ｐを可変入賞装置１５Ｂの外部へ排出することができる。
【００５６】
本発明は以上説明した実施例１〜３の実施形態に限定されるものではなく、当業者であれば、本発明の趣旨を逸脱しない範囲で、前記実施形態に種々の変更を付加し、更に、パチンコ機に限らず、アレンジボール機、雀球遊技機等に本発明を適用可能である。
【図面の簡単な説明】
【００５７】
【図１】パチンコ機の斜視図である。
【図２】パチンコ機の側面図である。
【図３】パチンコ機の背面図である。
【図４】パチンコ機の遊技盤の正面図である。
【図５】可変入賞装置の開閉扉を閉じた状態を示す斜視図である。
【図６】可変入賞装置の開閉扉を開いた状態を示す斜視図である。
【図７】可変入賞装置の裏機構を示す斜視図である。
【図８】裏機構の分割ケース体を示す斜視図である。
【図９】図５のＩＸ−ＩＸ線縦断面図である。
【図１０】図６のＸ−Ｘ線縦断面図である。
【図１１】実施例２の可変入賞装置を示す正面図である（開閉扉を開いた状態）。
【図１２】実施例２の可変入賞装置を示す正面図である（開閉扉を閉じた状態）
【図１３】実施例３の可変入賞装置を示す正面図である（開閉扉を開いた状態）
【図１４】実施例３の可変入賞装置を示す正面図である。（開閉扉を閉じた状態）
【符号の説明】
【００５８】
Ｐ    遊技球
１    パチンコ機
５    遊技盤
１５、１５Ａ、１５Ｂ  可変入賞手段
２１  図柄始動手段
２３、７３、８２  入賞口
２８  図柄表示手段
４８、７４、８４  開閉扉
５２ａ、５２ｂ  側板部
５６、７５、８５  枢支軸
５８  開閉手段
６５  検出スイッチ
６７、８３ａ  排出口
７０、７７、８７  遊技球落下隙間
８３  遊技盤側部材
【図１】
2008188136.tif 000003
【図２】
2008188136.tif 000004
【図３】
2008188136.tif 000005
【図４】
2008188136.tif 000006
【図５】
2008188136.tif 000007
【図６】
2008188136.tif 000008
【図７】
2008188136.tif 000009
【図８】
2008188136.tif 000010
【図９】
2008188136.tif 000011
【図１０】
2008188136.tif 000012
【図１１】
2008188136.tif 000013
【図１２】
2008188136.tif 000014
【図１３】
2008188136.tif 000015
【図１４】
2008188136.tif 000016